(57)【特許請求の範囲】
【請求項１】
機械ハウジング（４）内に回転可能に支持されるドリリングスピンドル（５）を有するドリリング機械（２）と、
チャック駆幹体（６）、該チャック駆幹体（６）に対し共軸に回転可能な締付テーパー体（７）、及び、つかみあご保持体（８）を有するドリルチャック（３）とからなり、
つかみあご保持体内の案内用凹陥部（９）中に複数のつかみあご（１０）が案内され、これらつかみあごは、半径方向に位置・姿勢をシフト可能に連れ動かし具（１１）に取り付けられ、この連れ動かし具のネジ切り部（１２）は、チャック軸に共軸の、チャック駆幹体（６）内に設けられたネジ切ブッシング（１３）に噛み合わされているドリリング装置において、
ドリリングスピンドル（５）が、中空スピンドルとして形成され、この中には、ネジ切ブッシング（１３）に回転不能に、かつ、軸方向に移動可能に接続されたカップリング・ロッド（１４）が噛み合わされ、
カップリング・ロッド（１４）は、機械ハウジング（４）に回転不能に連結される位置・姿勢と、ドリリングスピンドル（５）に回転不能に連結される位置・姿勢との間で、位置・姿勢をシフト可能であることを特徴とするドリリング装置。
【請求項２】
カップリング・ロッド（１４）における、ネジ切ブッシュとは逆側の端部には、カップリング・ホイール（１５）が備えられ、このカップリング・ホイール（１５）は、締付の位置・姿勢にて機械ハウジング（４）に突き当てられ、ドリリングの位置・姿勢にてドリリングスピンドル（５）に突き当てられることを特徴とする請求項１に記載のドリリング装置。
【請求項３】
カップリング・ホイール（１５）が、少なくとも一方の平坦面に、または、両方の平坦面に、対向面歯切り部（１７）に組み合わさって作動を行うための先端面歯切り部（１６）を備えることを特徴とする請求項２に記載のドリリング装置。
【請求項４】
カップリング・ホイール（１５）が、カップリング・ロッド上にて、カップリング・ロッド（１４）の一部として、締付位置と、ドリリング位置との間にてシフト可能であることを特徴とする請求項２または３に記載のドリリング装置。
【請求項５】
機械ハウジング（４）とカップリング・ロッド（１４）との間には、カップリング・ロッド（１４）に、前記の締付の位置・姿勢へと向かうバネ力を加えるバネ（１８）が配置されていることを特徴とする、請求項１から４までのいずれか一つに記載のドリリング装置。
【請求項６】
カップリング・ロッド（１４）の位置をシフトさせるための切替器（１９）が外部からアクセス可能であるように、機械ハウジング（４）に配置されていることを特徴とする請求項１〜５のいずれかに記載のドリリング装置。
【請求項７】
切替器（１９）は、前記の締付の位置・姿勢にて、ドリリング機械（２）の回転数について、制限を加えるべくコントロールを行うよう設けられていることを特徴とする請求項６に記載のドリリング装置。
【請求項８】
カップリング・ロッド（１４）には、切替器（１９）に設けられたカム面（２７）により位置シフトを行わせるためのカム曲面（２８）が備えられることを特徴とする、請求項６または７に記載のドリリング装置。
【請求項９】
切替器（１９）が切替用押し当てキー（２１）として構成され、該切替用押し当てキー（２１）は、該切替用押し当てキーを前記の締付の位置・姿勢に対応する非作動の位置・姿勢へとシフトさせるバネを備えていることを特徴とする請求項８に記載のドリリング装置。
【請求項１０】
切替用押し当てキー（２１）には、非作動の位置・姿勢から外れ出た位置・姿勢にて固定するためのスライダ（２２）が備え付けられることを特徴とする請求項９に記載のドリリング装置。
【請求項１１】
切替用押し当てキー（２１）には係止用凹陥部（２４）が備えられ、機械ハウジング（４）には係止ピン（２５）が備えられ、該係止ピンが切替ピン（２６）を用いて位置・姿勢をシフト可能であることを特徴とする請求項９または１０に記載のドリリング装置。
【請求項１２】
係止ピン（２５）が、係止バネにより係止用凹陥部（２４）の側へのバネ力を受けていることを特徴とする請求項１１に記載のドリリング装置。
【請求項１３】
機械ハウジング（４）内におけるカップリング・ホイール（１５）及び切替器（１９）の領域に、安定化フレーム材（２３）が形成されていることを特徴とする請求項９〜１２のいずれかにに記載のドリリング装置。
【請求項１４】
カップリング・ロッド（１４）が磁性材料から形成され、機械ハウジング（４）内に、切替器（１９）を用いて操作可能な電磁石（２０）が配置されていることを特徴とする請求項６〜１３のいずれかにに記載のドリリング装置。
【請求項１５】
ネジ切ブッシング（１３）におけるカップリング・ロッド（１４）側のブッシュ端面部に、非円形の開口を有し、該非円形の開口に、カップリング・ロッドにける、対応する横断面部が噛み合わされることを特徴とする請求項１〜１４のいずれかに記載のドリリング装置。
【請求項１６】
ドリリングスピンドル（５）がチャック駆幹体（６）と一体に形成されていることを特徴とする請求項１〜１５のいずれかに記載のドリリング装置。
【請求項１７】
チャック駆幹体（６）がネジ切ブッシング（１３）と一体に形成され、これにより、連れ動かし具（１１）のネジ切部（１２）を受け入れるためのネジ切部がチャック駆幹体（６）中に形成され、
カップリング・ロッド（１４）が連れ動かし具（１１）と相互回転不能に接続されていることを特徴とする請求項１〜１６のいずれかに記載のドリリング装置。
【請求項１８】
予め設定される回転モーメントを越えたときには、切替器（１９）の位置・姿勢について、カップリング・ロッド（１４）を前記ドリリングの位置・姿勢へシフトさせることを可能にする位置・姿勢へとシフトさせるべく、回転モーメント制限器（２９）が備えられていることを特徴とする請求項６〜１７のいずれかに記載のドリリング装置。
【請求項１９】
予め設定される回転モーメントが調整可能なものであることを特徴とする請求項１８に記載のドリリング装置
【発明の詳細な説明】
【技術分野】
【０００１】
本発明は、動力ドリルその他のドリリング機械と、ドリルチャックとからなるドリリング装置に関する。
【背景技術】
【０００２】
動力ドリルその他のドリリング機械は、機械ハウジングに回転可能に取り付けられたドリリングスピンドルを備える。また、ドリルチャックには、チャック駆幹体と、該チャック駆幹体に共軸に回転可能な締付テーパー体と、つかみあご保持体とが備えられ、つかみあご保持体中の案内用凹陥部には、複数のつかみあごが案内され、これらつかみあごは、連れ動かし具に、半径方向へと位置・姿勢をシフト可能に取り付けられている。この連れ動かし具のネジ切り部は、チャック軸に共軸の、チャック駆幹体に取り付けられたネジ切ブッシングに噛み合わされている。
【０００３】
ドリリング機械とドリルチャックとからなるドリリング装置は、慣行的な実施の行為・経験により、長らく前から知られている。従前には、ドリリング機械がもっぱらドリルチャックの回転駆動用に考えられていたのであり、ドリルチャックの開閉は、ドリルチャック用のレンチを用いて行われていた。技術の発達により、レンチを用いずにドリルチャックを操作することが行われている。この操作の際には、ドリリング工具を、つかみあごの間にて締め付けるか、または締付を解除すべく、ドリリングスピンドルに対して回転不能に取り付けられたチャック駆幹体に対して、締付スリーブを手で回転することができる。また、ドリルチャックの操作をよりシンプルにするための努力が行われた。ドイツ特許出願公開DE102005012534Aにおいては、丸いつかみあごのドリルチャックにて、ドリリングチャックに対して位置・姿勢をシフト可能なカップリング・スリーブを取り付けることが提案されている。このカップリング・スリーブは、次のようにすることができる。すなわち、機械ハウジングに対し、引き連れられて回転しないように保持されて、カップリング装置により、締付スリーブに、押し込まれて摩擦係合により接続されるようにすることができる。
【先行技術文献】
【特許文献】
【０００４】
【特許文献１】ヨーロッパ特許出願公開EP1714722A
【特許文献２】国際公開WO2006/034287
【発明の概要】
【発明が解決しようとする課題】
【０００５】
本発明の課題は、導入部で述べたドリルチャックについて、できるだけシンプルな構造により、操作をより容易にすること可能にすることにある。
【課題を解決するための手段】
【０００６】
上記課題は、導入部で述べたようなドリルチャックにおいて、次のようであることにより解決される。ドリリングスピンドルが、中空スピンドルとして形成され、この中には、ネジ切ブッシングに回転不能に、かつ、軸方向に移動可能に接続されたカップリング・ロッドが噛み合わされる。また、カップリング・ロッドは、機械ハウジングに回転不能に連結される位置・姿勢と、ドリリングスピンドルに回転不能に連結される位置・姿勢との間で、位置・姿勢をシフト可能である。
【発明の効果】
【０００７】
このようなドリルチャックは、次のような特徴を有する。ドリルチャックが非常にシンプルな構造を有しており、このシンプルな構造は、製造及び組み付けを省コストで行えるようにする。ドリリング装置の改良のためにドリリング機械の側部への係合が実現できるからである。この係合は、非常に容易であり、非常に少ないスペースのみ必要とする。その結果、既存の機械ハウジング中への一体化が可能となる。したがって、自動的な締付、及び、その解除の機能をさらに実現するためには、かさの大きい機械ハウジングを必要としない。また、手動での開放と閉じ締めも、同様に可能である。なお、追い締め式のドリルチャックが、ドリリング駆動部に固定して接続されやすくなることに注意すべきである。したがって、ドリリング工具が、より強く締め付けられて把持され、また、反時計回りに回されて締付を解除する。このような不所望のパフォーマンスは、本発明によると、ドリリングスピンドルがカップリング・ロッドに連結されることによって、また、これによるドリリングの位置・姿勢における駆動もしくは連動により、防止される。
【図面の簡単な説明】
【０００８】
【図１】本発明にしたがうドリリング装置の長手方向の断面図である。
【図２】ドリリングスピンドルの軸受けについて変更された変形例についての、図１と同様の長手方向断面図である。
【図３】スピンドルの軸受けについて変更された、さらなる変形例についての、図１と同様の長手方向断面図である。
【図４】ドリルチャックと、これと組み合わさって作動するための動力ドリル機中の構造部分とを取り出して示す長手方向断面図ある。
【図５】磁石の応力を受けて、カップリング・ロッドと、機械ハウジングとが、組み合わさって作動することを示す長手方向断面図ある。
【図６】カップリング・ロッド上にて軸方向に移動可能なカップリング・ホイールを示す、図５と同様の長手方向断面図ある。
【図７】カップリング・ホイールを軸方向に移動させるための、機械ハウジング中に取り付けられた切り替え用押し当てキーを示す、図５と同様の長手方向断面図ある。
【図８】切り替え用押し当てキーを操作するためのスライドバーを備える変形例について示す、図７と同様の長手方向断面図ある。
【図９】切り替え用押し当てキーについての変形例を示す、図５と同様の長手方向断面図ある。
【図１０】機械ハウジング中に配置された安定化フレーム材、並びに、切り替え用押し当てキーにあてがわれた係止ピン、及び、切り替えピンを有する実施例について示す、図５と同様の長手方向断面図ある。
【図１１】バッテリー式のドリル・ねじ回しの形態での、本発明にしたがうドリリング装置を示す部分断面側面図である。
【図１２】図７にしたがう切り替え用押し当てキーを備える場合の、図１１と同様の部分断面側面図である。
【図１３】チャック駆幹体と一体に形成されたネジ切ブッシングを有する実施例について示す、図３と同様の長手方向断面図である。ネジ切ブッシングは、カップリング・ロッドに、相互回転不能に係合して接続している。
【発明を実施するための形態】
【０００９】
完全を期すべく、締付の位置・姿勢は、工具の締付状態についての変化を引き起こすことから名づけられていることにつき、述べておく。したがって、締付の位置・姿勢においては、締付動作、及び締付解除の両方を行うことができる。
【００１０】
本発明の範囲内にて、次のようであれば特別に好ましい。すなわち、カップリング・ロッドにおける、ネジ切ブッシュとは逆側の端部には、カップリング・ホイールが備えられる。このカップリング・ホイールは、締付の位置・姿勢にて機械ハウジングに突き当てられ、ドリリングの位置・姿勢にてドリリングスピンドルに突き当てられる。このカップリング・ホイールにより、突き当て面を拡大しておくことができ、このようにして、カップリング・ロッドと機械ハウジングとの間、及び、カップリング・ロッドとドリリングスピンドルとの間にて、確実に、回転方向に係合された接続を行ことができる。また、次のようであれば有利であることが明らかである。すなわち、カップリング・ホイールが、少なくとも一方の平坦面に、先端面歯切り部を備えるならば有利であり、好ましくは、両方の平坦面に、対向面歯切り部に組み合わさって作動を行うための先端面歯切り部を備えるならば有利である。このようであると、凹凸の噛み合いもしくは嵌合により、相互回転不能に接続されるからである。しかしながら、このような噛み合いもしくは嵌合は、回転モーメントが、予め設定された回転モーメントを超えた際に、先端面歯切り部と、対向面歯切り部との間にて、関連構造部材の磨耗を起こすことなしに、ラチェット状の滑り動作を行うことを可能にする。
【００１１】
本発明の枠内において、カップリング・ホイールは、カップリング・ロッドの一部として、締付位置と、ドリリング位置との間にてシフト可能であるという実施形態が存在する。したがって、必須ではないが、カップリング・ロッドの全体が、機械ハウジングの内部にて、また、ネジ切ブッシングに対して、位置シフトするという形態が存在する。というのは、カップリング・ロッドの一部、すなわち、カップリング・ホイール位置をシフトさせることが、締付位置及びドリリング位置での、交互の協働作用を確実に実現するからである。
【００１２】
ドリリング駆動中の信頼性を向上するためには、機械ハウジングとカップリング・ロッドとの間には、カップリング・ロッドをドリリングスピンドルの側へ押すバネ力を加えるバネが配置される。このバネは、カップリング・ロッドがドリリングスピンドルに、回転不能に接続されるのを確実なものとする。したがって、連れ動かし具が、チャック駆幹体とともに回転するのを確実なものとする。
【００１３】
また、本願発明の枠内において、機械ハウジングに、外側から手をあてがうことが可能な切替器が、カップリング・ロッドの位置シフトを行わせるべく配置されているならば、好ましい。ここで、この切替器により、純粋に機械的に、または、電気的もしくは磁気的に、カップリング・ロッドの位置設定を行うことができる。切替器が、動力駆動式であるドリリング機械に備えられている限りにおいて、切替器が、締付位置にて、ドリリング機械の回転数について制限が設けられるような具合に影響を与えるという形態をとりうる。
【００１４】
機械的な構造をよりシンプルなものとした形態において、カップリング・ロッドには、切替器に設けられたカム面により位置シフトを行わせるためのカム曲面が備えられる。また、切替器が切替用押し当てキーもしくはプッシュスイッチとして設けられ、この切替押し当てキーを、締付位置に対応する非作動の位置・姿勢へとシフトさせるバネが形成されているならば、好ましいことが知られた。したがって、カップリング・ロッドを締付位置へとシフトさせるためには、ユーザーによる、切替用押し当てキーに対する積極的な操作が必要であれば、好ましいということが知られた。このような構成により、締付位置の維持を確実にすることで、ドリリング駆動中におけるドリリング工具の締付が確実に行われる。
【００１５】
締付位置にてユーザーが、持続的に切替用押し当てキーを作動させ続ける必要がないようにするためには、切替用押し当てキーにスライダーが備え付けられ、非作動の位置・姿勢が外れ出た位置・姿勢にて固定されるようにするという形態をとりうる。
【００１６】
また、切替用押し当てキーに係止用凹陥部が備えられ、機械ハウジングに係止ピンが備えられるならば好ましいことが知られた。ここで、係止ピンは、切替ピンにより位置・姿勢をシフト可能である。駆動の信頼性を向上するためには、切替ピンに、切替バネでもって、係止凹陥部の側へとバネ力を加えるという形態をとっている。
【００１７】
ドリルチャックの開放及び閉じ締めによって追加で生じる負荷を見込んで、機械ハウジング中におけるカップリングホイール及び切替器の領域に、安定化フレーム材が設けられている。
【００１８】
切替器や切替用押し当てキーでもって、カップリング・ロッドを機械的に移動させる代わりに、カップリング・ロッドを磁性材料で形成し、機械ハウジングに、切替器により作動可能な電磁石を配置しておくという形態をとることもできる。
【００１９】
カップリング・ロッドとネジ切ブッシングとの相互回転不能な接続は、次のようなシンプルな方式により実現できる。すなわち、ネジ切ブッシングにおけるカップリング・ロッドの側のブッシング端面部に、非円形の開口が備えられ、この開口中に、カップリング・ロッドにおける対応する断面形状部分が噛み合うことにより実現できる。ドリリング装置中におけるドリルチャックとドリリング機械との間の一体性を向上させる、次のような形態をとることもできる。すなわち、ドリリングスピンドルがチャック駆幹体と一体に形成するという形態をとることもできる。これにより、製造及び組みつけの際の利点が得られる。取り扱う必要のある部材が、少なくなるからである。
【実施例】
【００２０】
図面に示された本発明の実施例について詳細に説明する。
【００２１】
図面には、動力ドリル機２と、ドリルチャック３とからなるドリリング装置１が示されている。動力ドリル機２は機械ハウジング４を有しており、この機械ハウジング４中には、ドリリングスピンドル５が回転可能に取り付けられている。このドリリングスピンドル５は、通常電動モーターによって、回転駆動される。図１〜３には、電源コードが接続されたドリリング装置１が示されており、図１１及び１２には、バッテリー駆動のドリリング装置１が示されている。本発明にしたがうドリリング装置１では、ドリルチャック３が、追い締め式の、平板状つかみあごからなるドリルチャックとして形成されている。このドリルチャックには、チャック駆幹体６と、このチャック駆幹体６に共軸に回転可能な締付テーパー体７と、つかみあご保持体８とが備えられる。このつかみあご保持体８中におけるガイド凹陥部９には、複数のつかみあご１０が案内されている。これらつかみあご１０は、連れ動かし具１１に接して半径方向へと位置・姿勢をシフト可能である。この連れ動かし具１１は、チャック軸に共軸にチャック駆幹体６に取り付けられたネジ切ブッシング１３におけるネジ切部１２に噛み合わされている。ネジ切ブッシング１３は、チャック駆幹体６と一体に、または、チャック駆幹体６と分離して形成することができる。ネジ切ブッシング１３中における連れ動かし具１１をチャック駆幹体６に対して回転させると、連れ動かし具１１の位置は軸方向にシフトする。このシフトにより、つかみあご１０は、つかみあご保持体８におけるチャック軸に対して傾斜して延びるガイド凹陥部９中を押し動かされ、これにより、半径方向へも位置をシフトする。このようにして、連れ動かし具１１が回転される方向により、ドリルチャック３の開放または閉じ締めができる。
【００２２】
ユーザーによる開放または閉じ締めを容易にするため、動力ドリル機２のモーターを利用することが想定されている。このことは、次のようであることにより実現できる。すなわち、ドリリングスピンドル５が中空スピンドルとして形成され、この中に、ネジ切ブッシング１３に接続されたカップリング・ロッド１４が噛み合わされており、カップリング・ロッド１４が、機械ハウジング４に連結される締付の位置・姿勢と、ドリリングスピンドル５に連結されるドリリングの位置・姿勢との間で、シフト可能であることにより実現できる。カップリング・ロッド１４が締付の位置・姿勢にある際には、カップリング・ロッドの回転位置は、フレームワークとしての機械ハウジング４により固定されている。そのため、ドリリングスピンドル５を駆動すると、チャック駆幹体６は、締付テーパー体７及びつかみあご保持体８とともに回転する。このような回転により、連れ動かし具１１は、ネジ切ブッシング１３中にてその軸まわりに回転し、また、ドリリングスピンドル５が回転することで、つかみあご１０が、対応するガイド凹陥部９中へと位置をシフトする。ドリリングの位置・姿勢にある際、カップリング・ロッド１４は、ドリリングスピンドル５に、回転不能に連結される。このようにして、ドリリング駆動中に、つかみ顎１０の位置・姿勢が固定され、締付の緩みが起こりえない。ネジ切ブッシング１３と、チャック駆幹体６とを一体に形成すると、カップリング・ロッド１４が、連れ動かし具１１と回転不能に連結される（図１３）。一方、一体に形成しないならば、別体のネジ切ブッシング１３を通じて連結が行われる。
【００２３】
一方ではカップリング・ロッド１４が機械ハウジング４と組み合わさって作動を行うべく、また、他方ではドリリングスピンドル５をシンプルにすべく、カップリング・ロッド１４におけるネジ切ブッシング１３と逆側の端部には、カップリング・ホイール１５が形成されている。カップリング・ホイール１５は、締付の位置・姿勢にて機械ハウジング４に突き当てられ、ドリリングの位置・姿勢にてドリリングスピンドル５に突き当てられる。カップリング・ホイール１５は、図示の実施例において、両方の面が、先端面歯切部１６をなし、機械ハウジング４の対向面歯切部１７、及び、ドリリングスピンドル５の対向面歯切部１７と組み合わさって作動を行うようになっている。ドリリングスピンドル５は、ドリリング装置の全体の構造を簡略化すべく、ドリルチャック３のチャック駆幹体６と一体に形成され得る。
【００２４】
図４に示す実施例及び５に示す実施例においては、カップリング・ロッド１４がカップリング・ホイール１５とともに、ネジ切ブッシング１３及び連れ動かし具１１に対して、位置シフトを行う。これは、ドリリング位置と、締付位置との間での切り替えのための、所要の軸方向の位置シフトを可能にする。これらの実施例においては、もっぱらカップリング・ホイール１５が、カップリング・ロッド１４の一部として、ドリリング位置と、締付位置との間での位置シフトを行う。カップリング・ロッド１４とネジ切ブッシング１３との相互回転不能の接続が、図示の実施例中にて実現されている。図示の実施例中、ネジ切ブッシング１３におけるカップリング・ロッド１４の側の端面部には、非円形の開口が備えられる。この開口には、カップリング・ロッド１４における対応する非円形断面の部分が噛み合う。したがって、例えば、カップリング・ロッド１４における関連する端部には、ネジ切ブッシング１３の六角の凹陥部と組み合わさって作動を行う六角形状が形成されている。また、これにより、カップリング・ロッド１４は、外面側から、ネジ切ブッシング１３により、つかみ込まれている。また、カップリング・ロッド１４がネジ切ブッシング１３を外面側からつかみ込むことも、当然に、想定することができる。
【００２５】
ドリリング駆動部中における固定の確実性を高めるためにも、機械ハウジング４とカップリング・ロッド１４との間に配置されるバネ１８が寄与を行う。このバネ１８は、カップリング・ロッド１４に、ドリリング位置の側へとバネ力を加える。
【００２６】
このドリリング位置から締付位置への移行のためには、ドリリング装置１のユーザーによるコントロールの下で、カップリング・ロッド１４を、ドリリングスピンドル５及び機械ハウジング４に対して、押し動かすことを要する。ユーザーによるコントロールのためには、機械ハウジング４に、外側からアクセス可能な切替器１９が備えられる。この切替器１９は、カップリング・ロッド１４の純粋に機械的な位置シフトを引き起こすことができるだけでなく、当然ながら、駆動系統を作動させることもできる。このようにして、ドリルチャック３の開放及び閉じ締めのために、ドリリング装置１が高速回転を行うのを防ぐべく回転数を制限するようにするものである。
【００２７】
図５に示す実施例、及び図６に示す実施例においては、カップリング・ロッド１４の位置シフトのために、電磁石２０が備えられる。この電磁石２０は、好ましくは、機械ハウジング４の側に取り付けられる。一方、カップリング・ロッド１４は、磁性材料からなる。ここで、切替器１９は、電磁石２０のオン、オフ切り替えを行う役割を果たす。
【００２８】
上記に代わるものとして、図７に示す実施例もある。これは、プッシュスイッチ２１として形成された切替器１９でもって、カップリング・ロッド１４を純粋に機械的に位置シフトさせる変形例である。このプッシュスイッチ２１は、該プッシュスイッチ２１をドリリング位置に対応する非作動位置へと位置シフト可能にするバネから、バネ力を受けている。そのため、図７に示す実施例において、ユーザーは、プッシュスイッチ２１を押し入れ、このようにして、カップリング・ロッド１４の位置を軸方向後方へと締付位置にシフトさせる。すると、ドリリングスピンドル５の駆動により、連れ動かし具１１の回転が引き起こされる。ユーザーがプッシュスイッチ２１の操作と、ドリリングスピンドル駆動部の操作とを同時に行わないようにするためには、図８に示す実施例において、プッシュスイッチ２１の箇所に、スライダー２２が取り付けられる。このスライダー２２は、プッシュスイッチ２１について、非作動位置から逸れた位置に固定するものである。
【００２９】
図９に示す実施例においては、切替器１９が、直接、スライダーとして形成されている。このスライダーには、好ましくは、ドリリング位置と締付位置とに対応する２つの係止位置が備えられる。
【００３０】
図１０に示す実施例においては、機械ハウジング４中に、安定化フレーム材２３が設けられている。これは、通常合成樹脂で作られる機械ハウジング４中における高い荷重について、カップリング・ロッド１４を操作する観点から考えに入れたものである。安定化フレームワーク２３は、より硬質の合成樹脂、または金属からなるものでありうる。図１０に示す実施例において、プッシュスイッチ２１には係止凹陥部２４が備えられ、機械ハウジング４には係止ピン２５が備えられる。係止ピン２５は、切り替えピン２６により位置シフト可能である。この係止ピン２５には、係止バネにより係止凹陥部２４へと向かうバネ力が加えられる。この係止バネに加えられる初期荷重は、調整可能である。したがって、設定可能な回転モーメントを超えたとき、回転モーメント制限器２９にり係止ピン２５の位置がシフトし、これにより、プッシュスイッチ２１が解除の状態となる。そのため、ユーザーは、まず、プッシュスイッチ２１を作動状態にし、カップリング・ロッド１４を締付位置にシフトさせる。この締付位置は、バネ力が加えられる係止ピン２５と、プッシュスイッチ２１の係止凹陥部２４とが組み合わさって作動を行うことにより、保持される。ユーザーは、この後、動力ドリル機２の駆動部でもって、ドリリングスピンドル５を回転させ、これにより、ドリルチャック３の開放及び閉じ締めを引き起こさせることができる。つかみあご１０の位置をシフトさせた後、切り替えピン２６を作動状態とすると、バネ１８の作用を受けて、カップリング・ロッド１４がドリリング位置にシフトする。または、回転モーメント制限器２９が作動状態となり、このような位置シフトを引き起こす。
【００３１】
図１１及び図１２には、切替器１９とプッシュスイッチ２１とを機械ハウジング中にて、回転数スイッチの近くに一体に設けることを可能にしたものが示されている。このようであると、ユーザーは、片手での操作が可能となる。
【符号の説明】
【００３２】
１…ドリリング装置；    ２…動力ドリル機；          ３…ドリルチャック；    
４…機械ハウジング；    ５…ドリリングスピンドル；  ６…チャック駆幹体；    
７…締付テーパー体；    ８…つかみあご保持体；      ９…ガイド凹陥部；    
１０…つかみあご；      １１…連れ動かし具；        １２…ネジ切部；  
１３…ネジ切ブッシング；  １４…カップリング・ロッド；  
１５…カップリング・ホイール；                      １６…先端面歯切部；    
１７…対向面歯切部；    １８…バネ；                １９…切替器；    
２０…電磁石；          ２１…プッシュスイッチ；    ２２…スライダー；    
２３…安定化フレーム材；      ２４…係止凹陥部；    ２５…係止ピン；    
２６…切り替えピン；    ２７…カム面；              ２８…カム曲面；    
２９…回転モーメント制限器
【図１】
0005579841.tif 000002
【図２】
0005579841.tif 000003
【図３】
0005579841.tif 000004
【図４】
0005579841.tif 000005
【図５】
0005579841.tif 000006
【図６】
0005579841.tif 000007
【図７】
0005579841.tif 000008
【図８】
0005579841.tif 000009
【図９】
0005579841.tif 000010
【図１０】
0005579841.tif 000011
【図１１】
0005579841.tif 000012
【図１２】
0005579841.tif 000013
【図１３】
0005579841.tif 000014